Podtech/llm-jp-corpus-v4-ja_patent huggingface dataset:
【手続補正書】
【提出日】平成18年2月9日(2006.2.9)
【手続補正１】
【補正対象書類名】明細書
【補正対象項目名】特許請求の範囲
【補正方法】変更
【補正の内容】
【特許請求の範囲】
【請求項１】  検出マークの位置を検出する位置検出方法であって、
前記検出マークを含む画像に対して、テンプレートを用いたマッチングを実行するマッチング工程と、
前記マッチングに用いられるテンプレートを変更する変更工程と、
前記マッチング工程によるマッチング度が予め定められた値以下の場合、前記変更工程によってテンプレートを変更しながら前記マッチング処理を繰り返す繰返し工程と、
前記マッチング工程もしくは前記繰り返し工程によるマッチングの結果に基づいて位置検出をする工程と
を備えることを特徴とする位置検出方法。
【請求項２】  前記変更工程は、前記テンプレートの線幅を変更することを特徴とする請求項１に記載の位置検出方法。
【請求項３】  前記テンプレートは検出マークの有限個のエッジ位置を示し、
前記変更工程は、前記テンプレートのエッジ位置を移動することを特徴とする請求項１または２に記載の位置検出方法。
【請求項４】  前記変更工程による前記エッジ位置の移動は、前記画像の１画素に相当する大きさを単位としてなされることを特徴とする請求項３に記載の位置検出方法。
【請求項５】  前記変更工程は、予め格納手段に格納された変形テンプレートを順次取り出し、前記マッチングに適用させることを特徴とする請求項１に記載の位置検出方法。
【請求項６】  前記繰返し工程は、前記マッチングの結果が前記予め定められた値を超えるか、繰返し回数が予め定められた回数に達するまで実行されることを特徴とする請求項１に記載の位置検出方法。
【請求項７】  前記予め定められた回数は、前記変更工程が前記マッチングに利用可能なテンプレートを提供できる回数であることを特徴とする請求項６に記載の位置検出方法。
【請求項８】  前記繰返し工程におけるマッチングにおいて、最終的に用いられたテンプレートを、次回の位置検出処理における前記マッチング工程で用いるテンプレートに設定する設定工程を更に備得ることを特徴とする請求項１に記載の位置検出方法。
【請求項９】  前記繰返し工程は、予め定められた回数のマッチングを繰返し、
前記繰返し工程の実行において、最大のマッチング度が得られたテンプレートを、次回の位置検出処理の実行における前記マッチング工程で用いるテンプレートに設定する設定工程を更に備えることを特徴とする請求項１に記載の位置検出方法。
【請求項１０】  前記変更工程は、前記検出マークの明暗の変化に適応するよう前記テンプレートを変更すること含むことを特徴とする請求項１乃至９のいずれかに記載の位置検出方法。
【請求項１１】  検出マークの位置を検出する位置検出方法であって、
前記検出マークについてエッジ位置と非エッジ位置を特定するテンプレートを保持手段に保持する保持工程と、
画像より抽出されたエッジが、エッジ位置に存在し、非エッジ位置に存在しないことに基づいて相関度を算出するマッチング工程と、
前記マッチング工程で算出された相関度に基づいて、前記画像中における前記検出マークの位置を決定する決定工程とを備えることを特徴とする位置検出方法。
【請求項１２】  前記マッチング工程では、エッジ位置にエッジが存在した場合に相関度が増加し、非エッジ位置にエッジが存在した場合に相関度を減少する演算を含むことを特徴とする請求項１１に記載の位置検出方法。
【請求項１３】  前記マッチング工程は、前記テンプレートのエッジ位置を用いて相関度を算出し、複数の検出候補が存在した場合に、該テンプレートのエッジ位置と非エッジ位置を用いて相関度を算出することを特徴とする請求項１１に記載の位置検出方法。
【請求項１４】  前記マッチング工程で用いる非エッジ位置の数を、相関度算出の繰り返しの度に変化させることを特徴とする請求項１３に記載の位置検出方法。
【請求項１５】  前記マッチング工程は、直前の処理で最終的に用いられたエッジ位置及び非エッジ位置の組み合わせを用いて、次回のマッチング処理を実行することを特徴とする請求項１４に記載の位置検出方法。
【請求項１６】  前記マッチング工程は、前記テンプレートの非エッジ位置を当該検出マークのエッジが存在しない範囲で移動して相関度の算出を行ない、
前記決定工程は、非エッジ位置の移動に対して相関度が安定しているものを前記検出マークと判断してその位置を決定することを特徴とする請求項１１に記載の位置検出方法。
【請求項１７】  前記マッチング工程は、直前の処理で最終的に用いられた各非エッジ位置の位置を用いて、次回のマッチング処理を実行することを特徴とする請求項１６に記載の位置検出方法。
【請求項１８】  検出マークの位置を検出する位置検出方法であって、
前記検出マークを含む画像に対して、テンプレートを用いたマッチングを実行するマッチング手段と、
前記マッチングに用いられるテンプレートを変更する変更手段と、
前記マッチング手段によるマッチング度が予め定められた値以下の場合、前記変更手段によってテンプレートを変更しながら前記マッチング処理を繰り返す繰返し手段と、
前記マッチング手段もしくは前記繰り返し手段によるマッチングの結果に基づいて位置検出をする手段と
を備えることを特徴とする位置検出装置。
【請求項１９】  検出マークの位置を検出する位置検出装置であって、
前記検出マークについてエッジ位置と非エッジ位置を特定するテンプレートを保持する保持手段と、
画像より抽出されたエッジが、エッジ位置に存在し、非エッジ位置に存在しないことに基づいて相関度を算出するマッチング手段と、
前記マッチング手段で算出された相関度に基づいて、前記画像中における前記検出マークの位置を決定する決定手段と
を備えることを特徴とする位置検出装置。
【請求項２０】  投影露光光学系を介してガラスプレート上のパターンを被露光基板上に露光する半導体製造装置において、
請求項１乃至１７のいずれかに記載の位置検出方法を用いて前記被露光基板上のマーク位置を検出する検出工程と、
前記検出されたマーク位置に基づいて前記被露光基板の位置決めを行ない、パターン露光を行なう露光工程と
を備えることを特徴とする半導体製造装置。
【手続補正書】
【提出日】平成17年11月15日(2005.11.15)
【手続補正１】
【補正対象書類名】明細書
【補正対象項目名】特許請求の範囲
【補正方法】変更
【補正の内容】
【特許請求の範囲】
【請求項１】スクランブル処理が施された所定バイト数のスクランブルデータに対して第１の誤り訂正符号が付されると共に、前記第１の誤り訂正符号が付された所定数の前記スクランブルデータに第２の誤り訂正符号が付されたセクタデータを取り込んで誤り訂正処理を施すデータ再生制御装置において、
前記スクランブルデータに対して１行単位で前記第１の誤り訂正符号に基づく第１の誤り訂正処理を施す第１の訂正処理回路と、
前記第１の誤り訂正処理が施されたデータに対してデスクランブル処理を施すデスクランブル回路と、
前記スクランブルデータを１行単位でカウントするカウンタと、
前記カウンタのカウント値に基づいて前記第２の誤り訂正符号が前記デスクランブル回路に入力されるタイミングを検出し、前記第２の誤り訂正符号が前記デスクランブル回路に入力される期間で前記デスクランブル処理を停止させる判定回路と、
を備えることを特徴とするデータ再生制御装置。
【請求項２】請求項１に記載のデータ再生制御装置において、
前記セクタデータが誤り検出符号を含み、
前記第１の訂正処理回路で前記誤り訂正処理の施されたデータに対して前記誤り検出符号に基づく誤り検出処理を施す検出回路をさらに備え、
前記検出回路は、前記判定回路からの指示に応答して前記第２の誤り訂正符号に対する前記誤り検出処理をスキップすることを特徴とするデータ再生制御装置。
【請求項３】請求項１または２に記載のデータ再生制御装置において、
前記デスクランブル回路から出力されるデータを取り込んでバッファメモリに格納するアクセス回路をさらに備える
ことを特徴とするデータ再生制御装置。
【請求項４】請求項３に記載のデータ再生制御装置において、
前記バッファメモリに格納されたデータを取り込んでスクランブル処理を施すスクランブル回路と、
前記スクランブル処理の施されたデータに対して前記第２の誤り訂正符号に基づく誤り訂正処理を施す第２の訂正処理回路と、をさらに備える
ことを特徴とするデータ再生制御装置。
【手続補正書】
【提出日】平成18年1月10日(2006.1.10)
【手続補正１】
【補正対象書類名】明細書
【補正対象項目名】特許請求の範囲
【補正方法】変更
【補正の内容】
【特許請求の範囲】
【請求項１】  ２値画像の状態で電子透かしが埋め込まれ、かつ、該埋め込み後に多値化されて得られた多値画像データを取得する取得ステップと、
２値化用の閾値を用いて前記多値画像データを２値化し、２値化された２値画像データから電子透かしを抽出する抽出ステップと、
前記閾値と異なる閾値を用いて、前記抽出ステップを複数回繰り返し、該繰り返しにより得られた複数の抽出結果より得られた情報を出力する出力ステップを有することを特徴とする電子透かし抽出方法。
【請求項２】  前記取得ステップでは、スキャナにより印刷物を読み取ることにより前記多値画像データを取得し、前記印刷物は、２値画像の状態で電子透かしが埋め込まれた画像を印刷したものであることを特徴とする請求項１に記載の電子透かし抽出方法。
【請求項３】  前記２値化は、前記多値画像データの濃度分布を参照し、適応的に２値化用の閾値を定めることにより実行されることを特徴とする請求項１又は２に記載の電子透かし抽出方法。
【請求項４】  前記抽出処理ステップでの２値化に伴い、ノイズと考えられる孤立点を除去する処理、白画素と黒画素の境界に接するように黒画素を付加する処理、白画素と黒画素の境界に接するように白画素を付加する処理の少なくとも１つを実行することを特徴とする請求項１〜３の何れか１項に記載の電子透かし抽出方法。
【請求項５】  前記２値画像の状態での電子透かしの埋め込みは、該２値画像中の各文字の間の空白の長さを変更することにより行われていることを特徴とする請求項１〜４の何れか１項に記載の電子透かし抽出方法。
【請求項６】  前記出力ステップは、前記閾値と異なる閾値を用いて、前記抽出ステップを複数回繰り返し、該繰り返しにより得られた複数の抽出結果から所定基準を満たす抽出結果を特定し、特定された抽出結果に対応する閾値を用いて２値化された２値画像データから抽出された電子透かしに基づいて得られた情報を出力することを特徴とする請求項１〜５の何れか１項に記載の電子透かし抽出方法。
【請求項７】  前記所定基準は、抽出された電子透かしをパリティチェックした結果“正しい電子透かしである”と判断できるか否かに相当することを特徴とする請求項６に記載の電子透かし抽出方法。
【請求項８】  前記出力ステップで出力される情報は、前記パリティチェックした結果が正しいと判断された各電子透かしにおいて、その夫々を構成するビット列の各ビット位置毎の多数決判定により決定することを特徴とする請求項７に記載の電子透かし抽出方法。
【請求項９】  前記パリティチェックした結果が正しいと判断できる閾値が見つかるまで、前記抽出ステップを複数回繰り返し、前記出力ステップで出力される情報は、前記パリティチェックした結果が正しいと判断された電子透かしとすることを特徴とする請求項７に記載の電子透かし抽出方法。
【請求項１０】  前記パリティチェックした結果が正しいと判断できる閾値が所定複数個見つかるまで、前記抽出ステップを複数回繰り返し、前記出力ステップで出力される情報は、前記パリティチェックした結果が正しいと判断された所定複数個の電子透かしにおいて、その夫々を構成するビット列の各ビット位置毎の多数決判定により決定することを特徴とする請求項９に記載の電子透かし抽出方法。
【請求項１１】  ２値画像の状態で電子透かしが埋め込まれ、かつ、該埋め込み後に多値化されて得られた多値画像データを取得する取得手段と、
２値化用の閾値を用いて前記多値画像データを２値化し、２値化された２値画像データから電子透かしを抽出する抽出手段と、
前記閾値と異なる閾値を用いて、前記抽出手段の処理を複数回繰り返し、該繰り返しにより得られた複数の抽出結果より得られた情報を出力する出力手段を有することを特徴とする電子透かし抽出装置。
【請求項１２】  コンピュータに、請求項１〜１０の何れか１項に記載の電子透かし抽出方法の手順を実行させる電子透かし抽出プログラム。
【請求項１３】  請求項１２に記載の電子透かし抽出プログラムを、コンピュータから読み取り可能な状態に記憶した記憶媒体。
【手続補正２】
【補正対象書類名】明細書
【補正対象項目名】０００８
【補正方法】変更
【補正の内容】
【０００８】
【課題を解決するための手段】
上記目的を達成するため、本発明の電子透かし抽出方法によれば、２値画像の状態で電子透かしが埋め込まれ、かつ、該埋め込み後に多値化されて得られた多値画像データを取得する取得ステップと、２値化用の閾値を用いて前記多値画像データを２値化し、２値化された２値画像データから電子透かしを抽出する抽出ステップと、前記閾値と異なる閾値を用いて、前記抽出ステップを複数回繰り返し、該繰り返しにより得られた複数の抽出結果より得られた情報を出力する出力ステップを有することを特徴とする。
また、本発明の電子透かし抽出装置によれば、２値画像の状態で電子透かしが埋め込まれ、かつ、該埋め込み後に多値化されて得られた多値画像データを取得する取得手段と、２値化用の閾値を用いて前記多値画像データを２値化し、２値化された２値画像データから電子透かしを抽出する抽出手段と、前記閾値と異なる閾値を用いて、前記抽出手段の処理を複数回繰り返し、該繰り返しにより得られた複数の抽出結果より得られた情報を出力する出力手段を有することを特徴とする。
【手続補正書】
【提出日】平成18年8月28日(2006.8.28)
【手続補正１】
【補正対象書類名】明細書
【補正対象項目名】００１２
【補正方法】変更
【補正の内容】
【００１２】
図１は、ＡＤＣ３０の前段に位置する電力正規化ブロック２０を示す。電力正規化２０は、アナログＡＧＣによって行うことができる。図１のシステム１００では、電力正規化信号（電力正規化ブロック２０の出力）は次にＡＤＣ３０によってディジタル化され、適応トランスバーサル・フィルタ４０の入力に印加される。式１は、入力データおよび係数ベクトルが与えられたときのトランスバーサル・フィルタ４０の信号処理を規定する。適応トランスバーサル・フィルタ４０の出力は、２つの経路、信号経路および制御経路に分離する。信号経路出力は、元のデータ変調に用いた手法の逆を表すように、復調ブロック７０によって復調される。復調の後、元の変調信号が何らかの形でエンコードされていた場合、復調信号のデコードも行う場合がある。復調器７０の出力は、復元された対象データ信号となる。
【手続補正２】
【補正対象書類名】明細書
【補正対象項目名】００２４
【補正方法】変更
【補正の内容】
【００２４】
【発明の実施の形態】
式１、３、および４を式５ないし式７と共に用いることによって、本発明のモード制御ブラインド適応トランスバーサル・フィルタの数学的基礎が得られる。図２Ａは、本発明の一実施形態のブロック図である。図２Ｂは、本発明の別の実施形態のブロック図である。
【手続補正３】
【補正対象書類名】明細書
【補正対象項目名】００２６
【補正方法】変更
【補正の内容】
【００２６】
【数５】
ｗｇ（ｋ＋１）＝ｗｇ（ｋ）−μｅｃｍ（ｋ）ｘｇ＊（ｋ）          式５
ここで、ｗ、μ、ｅｃｍ（ｋ）およびｘ（ｋ）は定義済みである。
【手続補正４】
【補正対象書類名】明細書
【補正対象項目名】００２７
【補正方法】変更
【補正の内容】
【００２７】
【数６】
ｗｈ（ｋ＋１）＝Ｗｈ（ｋ）−μｅｖｍ（ｋ）ｘｈ＊（ｋ）          式６
【手続補正５】
【補正対象書類名】図面
【補正対象項目名】図２
【補正方法】変更
【補正の内容】
【図２】
2003338780.tif 000001
【手続補正書】
【提出日】平成18年2月24日(2006.2.24)
【手続補正１】
【補正対象書類名】明細書
【補正対象項目名】特許請求の範囲
【補正方法】変更
【補正の内容】
【特許請求の範囲】
【請求項１】
出射した光束が副走査方向で所定の角度をなして互いに交差する、異なる筐体にパッケージ化された複数の光源と、前記複数の光源から出射したそれぞれの光束を略平行な光束にそれぞれ変換する複数のコリメータレンズと、前記複数の光源から出射した光束をそれぞれ異なる対象物に結像させる走査結像手段とを有する走査式光学装置において、
前記それぞれの光源およびコリメータレンズを保持する鏡筒部を、それぞれの光源の光軸を傾斜させて一体化して設けるとともに、前記それぞれの光源またはコリメータレンズを照射位置およびピント方向に独立して調整可能に保持する鏡筒部材を備えた走査式光学装置。
【請求項２】
前記走査結像手段を配置した筐体を有し、前記鏡筒部材の鏡筒部の外形を用いて、前記走査結像手段を配置した筐体に前記鏡筒部材を位置決めして取り付ける請求項１に記載の走査式光学装置。
【請求項３】
前記複数のコリメータレンズは、前記それぞれの鏡筒部先端の主走査方向に設けられ、該コリメータレンズを鏡筒部先端に接着する接着部によって保持される請求項１または２に記載の走査式光学装置。
【請求項４】
前記走査結像手段は、同一反射面によって反射することにより前記複数の光源から出射した複数の光束を走査して、それぞれ異なる対象物に結像させる走査手段を含み、
前記走査手段によって走査された光束を検知し、該光束の主走査方向の同期信号を出力する同期検知手段と、前記鏡筒部材で保持された複数の光源の１つに対応する光束を前記同期検知手段に導くスリット部とを前記鏡筒部材に設けた請求項１乃至３のいずれかに記載の走査式光学装置。
【請求項５】
前記走査結像手段を配置した筐体の同一面に、一方の鏡筒部材に対して設けられたスリット部を、他方の鏡筒部材に対して、該他方の鏡筒部材に設けられたスリット部の逆側となるように、それぞれスリット部を有する前記鏡筒部材を二つ配置した請求項４に記載の走査式光学装置。
【請求項６】
前記二つの鏡筒部材により保持される複数の光源が同一基板に取り付けられた請求項５
に記載の走査式光学装置。
【請求項７】
請求項１乃至６のいずれかに記載の走査式光学装置と、
複数の感光体と、
を備え、
画像情報に基づく光束を、前記走査式光学装置の走査結像手段によって走査し、前記感光体上に結像させることにより、前記感光体上に潜像を形成する画像形成装置。
【手続補正２】
【補正対象書類名】明細書
【補正対象項目名】００１１
【補正方法】変更
【補正の内容】
【００１１】
【課題を解決するための手段】
上記目的を達成するために、本発明は、出射した光束が副走査方向で所定の角度をなして互いに交差する、異なる筐体にパッケージ化された複数の光源と、前記複数の光源から出射したそれぞれの光束を略平行な光束にそれぞれ変換する複数のコリメータレンズと、前記複数の光源から出射した光束をそれぞれ異なる対象物に結像させる走査結像手段とを有する走査式光学装置において、前記それぞれの光源およびコリメータレンズを保持する鏡筒部を、それぞれの光源の光軸を傾斜させて一体化して設けるとともに、前記それぞれの光源またはコリメータレンズを照射位置およびピント方向に独立して調整可能に保持する鏡筒部材を備えた走査式光学装置として構成される。
【手続補正３】
【補正対象書類名】明細書
【補正対象項目名】００１３
【補正方法】変更
【補正の内容】
【００１３】
前記走査結像手段を配置した筐体を有し、前記鏡筒部材の鏡筒部の外形を用いて、前記走査結像手段を配置した筐体に前記鏡筒部材を位置決めして取り付けることが好適である。
【手続補正４】
【補正対象書類名】明細書
【補正対象項目名】００１５
【補正方法】変更
【補正の内容】
【００１５】
前記複数のコリメータレンズは、前記それぞれの鏡筒部先端の主走査方向に設けられ、該コリメータレンズを鏡筒部先端に接着する接着部によって保持されることが好適である。
【手続補正５】
【補正対象書類名】明細書
【補正対象項目名】００５４
【補正方法】変更
【補正の内容】
【００５４】
（実施態様２）
前記走査結像手段を配置した筐体を有し、前記鏡筒部材の鏡筒部の外形を用いて、前記走査結像手段を配置した筐体に前記鏡筒部材を位置決めして取り付ける実施態様１に記載の走査光学装置。
【手続補正６】
【補正対象書類名】明細書
【補正対象項目名】００５５
【補正方法】変更
【補正の内容】
【００５５】
（実施態様３）
前記複数のコリメータレンズは、前記それぞれの鏡筒部先端の主走査方向に設けられ、該コリメータレンズを鏡筒部先端に接着する接着部によって保持される実施態様１または２に記載の走査式光学装置。
【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】  像担持体上に形成された静電像を共通の現像部にて現像する第１の現像器及び第２の現像器と、前記第１の現像器に補給する現像剤を収容した第１の現像剤容器と、前記第２の現像器に補給する現像剤を収容した第２の現像剤容器と、前記第１の現像器及び第２の現像器を搭載し前記現像部を含む経路で回転する回転体と、を有する画像形成装置において、
前記第１の現像剤容器からの現像剤排出を前記回転体の回転動作を利用して行う構成とし、前記第２の現像剤容器からの現像剤排出を前記第２の現像剤容器内に回転可能に設けられた搬送部材により行う構成とし、
前記第２の現像器を用いて単色画像を形成する場合、前記回転体を回転することなく複数画像を連続して形成可能であることを特徴とする画像形成装置。
【請求項２】  前記第１の現像器は有彩色の画像を形成する構成とされ、前記第２の現像器は無彩色の画像を形成する構成とされることを特徴とする請求項１の画像形成装置。
【請求項３】  前記第２の現像剤容器の現像剤収容可能量を前記第１の現像剤容器よりも多くすることを特徴とする請求項１又は２の画像形成装置。
【請求項４】  前記第１の現像剤容器の内周面に設けられ、前記回転体の回転動作により現像剤を搬送する搬送部を有することを特徴とする請求項１乃至３のいずれかの画像形成装置。
【手続補正２】
【補正対象書類名】明細書
【補正対象項目名】００１１
【補正方法】変更
【補正の内容】
【００１１】
【課題を解決するための手段】
本発明によれば上記課題を解決することができる。本発明は、像担持体上に形成された静電像を共通の現像部にて現像する第１の現像器及び第２の現像器と、前記第１の現像器に補給する現像剤を収容した第１の現像剤容器と、前記第２の現像器に補給する現像剤を収容した第２の現像剤容器と、前記第１の現像器及び第２の現像器を搭載し前記現像部を含む経路で回転する回転体と、を有する画像形成装置において、
前記第１の現像剤容器からの現像剤排出を前記回転体の回転動作を利用して行う構成とし、前記第２の現像剤容器からの現像剤排出を前記第２の現像剤容器内に回転可能に設けられた搬送部材により行う構成とし、
前記第２の現像器を用いて単色画像を形成する場合、前記回転体を回転することなく複数画像を連続して形成可能であることを特徴とする。
【手続補正３】
【補正対象書類名】明細書
【補正対象項目名】００２３
【補正方法】変更
【補正の内容】
【００２３】
そのため、回転体１８が回転することによって、重力方向に対する現像剤補給容器１７内部の搬送突起１７ｄの姿勢が変化する作用により、収容された現像剤は補給口へ攪拌・搬送されて排出される。現像剤補給容器１７と現像器１の間には、図示せぬシール部材があり、現像剤の漏れがないようにシールしている。
【手続補正４】
【補正対象書類名】明細書
【補正対象項目名】００２４
【補正方法】変更
【補正の内容】
【００２４】
画像形成によって消費された現像剤に相当する量の現像剤は、回転体１８の回転による現像剤補給容器１７内部の現像剤の攪拌・搬送と現像剤の自重によって、現像剤補給容器１７の現像剤供給口６から補給スクリュー８ａへと搬送され、補給スクリュー８ａの回転に従い現像剤補給口９から現像器１内に補給される。
【手続補正書】
【提出日】平成18年3月3日(2006.3.3)
【手続補正１】
【補正対象書類名】明細書
【補正対象項目名】特許請求の範囲
【補正方法】変更
【補正の内容】
【特許請求の範囲】
【請求項１】  像担持体と、前記像担持体を帯電する帯電器と、帯電後の前記像担持体上に形成された静電像を共通の現像部にてトナー及びキャリアを含む現像剤で現像する複数の現像器と、前記複数の現像器を搭載し前記現像部を含む経路で回転する回転体と、前記像担持体及び前記中間転写体を駆動するモータと、を有し、前記像担持体上のトナー像を中間転写体に１次転写後これを記録材に２次転写する画像形成装置において、
１次転写完了に伴い記録材の搬送速度に応じて前記モータの駆動速度を変更するにあたって、前記回転体を回動することで現像器を前記現像部から退避させた後に、前記モータの駆動速度を変更することを特徴とする画像形成装置。
【請求項２】  前記帯電器は画像形成の為の帯電動作時にＤＣ電圧とＡＣ電圧とを重畳した帯電バイアスが印加される構成とされ、前記回転体を回動することで現像器を前記現像部から退避させるのに伴って前記帯電器による帯電動作を停止させる際、帯電バイアスのうち少なくともＡＣ電圧をオフすることを特徴とする請求項１の画像形成装置。
【手続補正２】
【補正対象書類名】明細書
【補正対象項目名】０００４
【補正方法】変更
【補正の内容】
【０００４】
【課題を解決するための手段】
本発明によれば上記課題を解決することができる。本発明は、像担持体と、前記像担持体を帯電する帯電器と、帯電後の前記像担持体上に形成された静電像を共通の現像部にてトナー及びキャリアを含む現像剤で現像する複数の現像器と、前記複数の現像器を搭載し前記現像部を含む経路で回転する回転体と、前記像担持体及び前記中間転写体を駆動するモータと、を有し、前記像担持体上のトナー像を中間転写体に１次転写後これを記録材に２次転写する画像形成装置において、
１次転写完了に伴い記録材の搬送速度に応じて前記モータの駆動速度を変更するにあたって、前記回転体を回動することで現像器を前記現像部から退避させた後に、前記モータの駆動速度を変更することを特徴とする。
【手続補正３】
【補正対象書類名】明細書
【補正対象項目名】０００９
【補正方法】変更
【補正の内容】
【０００９】
原稿台ガラス上の原稿は光源１０３・１０４からの光を反射し、その反射光はＣＣＤ１１１に導かれて電気信号に変換される（ＣＣＤ１１１がカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない）。そして、その電気信号（アナログ画像信号）は画像処理部１１３に入力され、クランプ＆Ａｍｐ＆Ｓ／Ｈ＆Ａ／Ｄ部５０２でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのディジタル信号に変換される。そして、ＲＧＢ信号はシェーディング部５０３で、シェーディング補正及び黒補正が施された後、つなぎ＆ＭＴＦ補正＆原稿検知部５０４で、ＣＣＤ１１１が３ラインＣＣＤの場合、つなぎ処理はライン間の読取位置が異なるため、読取速度に応じてライン毎の遅延量を調整し、３ラインの読取位置が同じになるように信号タイミングを補正し、ＭＴＦ補正は読取速度や変倍率によって読取のＭＴＦが変わるため、その変化を補正し、原稿検知は原稿台ガラス上の原稿を走査することにより原稿サイズを認識する。読取位置タイミングが補正されたディジタル信号は入力マスキング部５０５によって、ＣＣＤ１１１の分光特性及び高原１０３・１０４及び反射傘１０５・１０６の分光特性を補正する。入力マスキング部５０５の出力は外部Ｉ／Ｆ信号との切り換え可能なセレクタ５０６に入力される。セレクタ５０６から出力された信号は色空間圧縮＆下地除去＆ＬＯＧ変換部５０７と下地除去部５１４に入力される。下地除去部５１４に入力された信号は下地除去された後、原稿中の原稿の黒い文字かどうかを判定する黒文字判定部５１５に入力され、原稿から黒文字信号を生成する。また、もう一つのセレクタ５０６の出力が入力された色空間圧縮＆下地除去＆ＬＯＧ変換部５０７では、色空間圧縮は読み取った画像信号がプリンタで再現できる範囲に入っているかどうか判断し、入っている場合はそのまま、入っていない場合は画像信号をプリンタで再現できる範囲に入るように補正する。そして、下地除去処理を行い、ＬＯＧ変換部でＲＧＢ信号からＹＭＣ信号に変換する。そして、黒文字判定部５１５で生成された信号とタイミングを補正するため、色空間圧縮＆下地除去＆ＬＯＧ変換部５０７の出力信号は遅延５０８でタイミングを調整される。この二種類の信号はモワレ除去部５０９でモワレが除去され、変倍処理部５１０で主走査方向に変倍処理される。５１１はＵＣＲ＆マスキング＆黒文字反映部で、変倍処理部５１０で処理された信号は、ＹＭＣ信号からはＵＣＲ処理でＹＭＣＫ信号が生成され、マスキング処理部でプリンタの出力にあった信号に補正されると共に、黒文字判定部５１５で生成された判定信号がＹＭＣＫ信号にフィードバックされる。ＵＣＲ＆マスキング＆黒文字反映部５１１で処理された信号はγ補正部５１２で濃度調整された後、フィルタ部５１３でスムージング又は���ッジ処理される。以上処理された画像データは、５１６のページメモリ部に格納され、プリンタ部の画像形成タイミングに合わせて、プリンタ部へ出力される。
【手続補正４】
【補正対象書類名】明細書
【補正対象項目名】００１９
【補正方法】変更
【補正の内容】
【００１９】
４０３は感光ドラム２０２上に形成されたトナー像が中間転写体２０５に転写されるタイミングであり、この間、１次転写ローラ２７３において一次帯電電圧が印加される。４０６は中間転写体２０５上に転写されたトナー像をシートに転写するタイミングである。黒単色画像の場合には、４０２、４０３においてＫ−Ａのレーザー及び１次転写と、４０６中のＡの２次転写のみの制御となる。画像形成枚数が３枚以上の場合には、４０７の制御の繰り返しである。
【手続補正書】
【提出日】平成18年3月6日(2006.3.6)
【手続補正１】
【補正対象書類名】明細書
【補正対象項目名】特許請求の範囲
【補正方法】変更
【補正の内容】
【特許請求の範囲】
【請求項１】  画像濃度信号に応じて像担持体上に形成された静電像を現像する現像手段と、トナー補給容器から前記現像手段へトナーを搬送する搬送部材と、画像濃度信号に応じた前記現像手段へのトナー補給量に基づいて前記搬送部材の駆動時間を制御する制御手段と、前記現像手段により形成された基準トナー像の濃度を検知する検知手段と、を有する画像形成装置において、
前記検知手段の出力が所定回数繰り返し所定値以下となった場合、所定の画像濃度信号に対する前記搬送部材の駆動時間を長めに補正する補正手段を有することを特徴とする画像形成装置。
【請求項２】  所定の頻度でトナー補給量を前記検知手段の出力に応じて補正することを特徴とする請求項１の画像形成装置。
【手続補正書】
【提出日】平成18年9月5日(2006.9.5)
【手続補正１】
【補正対象書類名】明細書
【補正対象項目名】発明の名称
【補正方法】変更
【補正の内容】
【発明の名称】蓄熱槽の運転方法
【手続補正２】
【補正対象書類名】明細書
【補正対象項目名】特許請求の範囲
【補正方法】変更
【補正の内容】
【特許請求の範囲】
【請求項１】  ０℃より高い温度で水和物を生成するゲスト化合物の水溶液と、水溶液を冷却することにより製造される水和物スラリとを貯留する蓄熱槽の運転方法であって、前記蓄熱槽は、蓄熱槽を区分する複数の区画と、各区画に接続された水溶液配管と、各区画の水溶液配管に設けられた水溶液配管開閉弁と、各区画に接続されたスラリ配管と、各区画のスラリ配管に設けられたスラリ配管開閉弁とを有し、冷熱利用運転時に１つの区画から水和物スラリを抜き出して他の区画に水溶液を貯留するように前記水溶液配管開閉弁およびスラリ配管開閉弁が操作されることを特徴とする蓄熱槽の運転方法。
【請求項２】  前記蓄熱槽は３つ以上の区画を有し、２つ以上の区画に水和物スラリが貯留された状態から冷熱利用運転を開始して、１つの区画から水和物スラリを抜き出して他の区画に水溶液を貯留する操作を、操作対象とする区画を順次移動しながら行うことを特徴とする請求項１記載の蓄熱槽の運転方法。
【手続補正３】
【補正対象書類名】明細書
【補正対象項目名】０００９
【補正方法】変更
【補正の内容】
【０００９】
【課題を解決するための手段】
本発明に係る蓄熱槽の運転方法は、０℃より高い温度で水和物を生成するゲスト化合物の水溶液と、水溶液を冷却することにより製造される水和物スラリとを貯留する蓄熱槽の運転方法であって、前記蓄熱槽は、蓄熱槽を区分する複数の区画と、各区画に接続された水溶液配管と、各区画の水溶液配管に設けられた水溶液配管開閉弁と、各区画に接続されたスラリ配管と、各区画のスラリ配管に設けられたスラリ配管開閉弁とを有し、冷熱利用運転時に１つの区画から水和物スラリを抜き出して他の区画に水溶液を貯留するように前記水溶液配管開閉弁およびスラリ配管開閉弁が操作されることを特徴とする。
【手続補正４】
【補正対象書類名】明細書
【補正対象項目名】００１０
【補正方法】変更
【補正の内容】
【００１０】
本発明の蓄熱槽の運転方法においては、前記蓄熱槽は３つ以上の区画を有し、２つ以上の区画に水和物スラリが貯留された状態から冷熱利用運転を開始して、１つの区画から水和物スラリを抜き出して他の区画に水溶液を貯留する操作を、操作対象とする区画を順次移動しながら行うことが好ましい。
【手続補正５】
【補正対象書類名】明細書
【補正対象項目名】００１１
【補正方法】変更
【補正の内容】
【００１１】
【発明の実施の形態】
本発明の蓄熱槽では、蓄熱槽を複数の区画に区分し、冷熱利用運転時に１つの区画から水和物スラリを抜き出して他の区画に水溶液を貯留するように水溶液配管開閉弁およびスラリ配管開閉弁を操作する。
【手続補正書】
【提出日】平成18年6月2日(2006.6.2)
【手続補正１】
【補正対象書類名】明細書
【補正対象項目名】特許請求の範囲
【補正方法】変更
【補正の内容】
【特許請求の範囲】
【請求項１】
複数の溶液を混合比を変更しながら送液する第１のポンプと、送液用の溶液を送液する第２のポンプと、試料を導入する試料導入部と、試料を分離する分離カラムと、分離カラムから溶出される溶液を検出する検出器を備えた分離分析装置において、
前記第１のポンプからの流路、前記第２のポンプからの流路、及び前記試料導入部への流路が接続され、且つ溶液を一時的に保留する第１及び第２のサンプリングループを備えた流路切り替え手段を有し、
前記流路切り替え手段は、前記第１のポンプからの溶液を前記第１のサンプリングループに送液しながら、前記第２のポンプによって前記第２のサンプリングループ内の溶液を前記試料導入部側へ押出す第１の状態と、前記第１のポンプからの溶液を前記第２のサンプリングループに送液しながら、前記第２のポンプによって前記第１のサンプリングループ内の溶液を前記試料導入部側へ押出す第２の状態とを交互に繰り返すことを特徴とする分離分析装置。
【請求項２】
請求項１において、
前記流路切り替え手段は、溶液を機外へ排出し、且つ前記分離カラムと同等の流路抵抗を有する排出流路を備え、
前記第１の状態では、前記第１のサンプリングループが当該排出流路へ接続され、前記第２の状態では、前記第２のサンプリングループが当該排出流路へ接続されることを特徴とする分離分析装置。
【請求項３】
請求項１において、
前記第１のポンプは、マイクロリットル／分(μｌ／min) レベルの流量で送液を行い、前記第２のポンプは、ナノリットル／分(ｎｌ／min) レベルの流量で送液を行うことを特徴とする分離分析装置。
【請求項４】
請求項１において、
前記第１及び第２のサンプリングループの容積は、略１マイクロリットル（μｌ）であることを特徴とする分離分析装置。
【請求項５】
請求項２において、
前記流路切り替え手段は、前記第１のポンプからの流路が接続される接続口（１）、前記第２のポンプからの流路が接続される接続口（２）、前記試料導入部への流路が接続される接続口（３）、前記排出流路が接続される接続口（４）を備えた第１の部材と、前記第１の状態と第２の状態を切り替える切り替え流路が形成された第２の部材を有し、
前記第１の部材内に、前記第１及び第２のサンプリングループが形成されることを特徴とする分離分析装置。
【請求項６】
請求項１において、
マイクロリットル／分 (μｌ／min)レベルの流量を送液する第３のポンプと、前記分離カラムからの溶出液と前記第３のポンプから送液される溶液を混合するミキサーと、当該ミキサーによって混合された後の溶液の分取を行う分取部とを備えたことを特徴とする分離分析装置。
【請求項７】
請求項１において、装置全体を一定温度に保つ恒温器を備えたことを特徴とする分離分析装置。
【手続補正２】
【補正対象書類名】明細書
【補正対象項目名】０００２
【補正方法】変更
【補正の内容】
【０００２】
【従来の技術】
クロマトグラフ等の分離分析装置において、ナノフローレベルの流量(ｎｌ／min) でグラジエント溶出を行いながら分析を行うには、マイクロフローレベルの流量(μｌ／min)の低圧（または高圧）グラジエント機能付きポンプで送られてくる溶液をスプリッターで分割(例えば、１：１００のスプリット比)し、ナノフローレベルの流量(ｎｌ／min) を得る方式や、１分析に要するグラジエント溶液を、あらかじめ１個または多数のチューブやホールに充満させてから、送液ポンプ（またはガスボンベ）とバルブを利用して、これらの溶液を順次分離カラムに導入する方式（例えば、下記特許文献１，２及び非特許文献１に記載されている）がある。
【手続補正３】
【補正対象書類名】明細書
【補正対象項目名】０００３
【補正方法】変更
【補正の内容】
【０００３】
【特許文献１】特開２００２−３６５２７２号公報
【特許文献２】特開２００２−７１６５７号公報
【非特許文献１】BUNSEKI KAGAKU, Vol.50, 825(2001)
【手続補正４】
【補正対象書類名】明細書
【補正対象項目名】０００５
【補正方法】変更
【補正の内容】
【０００５】
本発明の目的は、上記問題を解決し、ナノフローレベルの流量(ｎｌ／min）でのグラジエント溶出による分離分析を、安定で、効率よく連続して行えるようにすることである。
【手続補正５】
【補正対象書類名】明細書
【補正対象項目名】００２４
【補正方法】変更
【補正の内容】
【００２４】
図４は、本発明の他の実施例を示す概略構成図である。図１の実施例との違いは、分取を行う手段を追加した点にある。分離カラム１４から溶出する流量は、ナノフローレベルの流量(ｎｌ／min) であり、このレベルの流量になると排出後は液滴とならず、分取は非常に困難になる。そこで本実施例では、分離カラム１４からの溶液に対して、メイクアップ溶媒１６をメイクアップポンプ１７によりミキサー１８で合流させるようにする。メイクアップポンプ１７の流量は、マイクロフローレベルの流量(μｌ／min) である。合流後の溶液は、分取プレート１９上に分取（分画）される。この時、分取プレート１９は、各分画毎に、前後左右に移動可能に構成される。本実施例では、排出後の溶液をマイクロフローレベルの流量(μｌ／min) とするため、排出後も液滴とすることができ、分取が可能となる。
【手続補正６】
【補正対象書類名】明細書
【補正対象項目名】００２８
【補正方法】変更
【補正の内容】
【００２８】
【発明の効果】
本発明によれば、１分析に要するグラジエント溶液を予め作製しておく必要は無く、ナノフロー(ｎｌ／min) レベルの流量においても再現性の良いグラジエント溶出による分離分析を行うことが出来る。したがって、本発明を用いたナノフロー(ｎｌ／min) 流量レベルのグラジエントを行う分析を効率よく連続して行うことが出来る液体クロマトグラフを実現することが可能になる。
【手続補正書】
【提出日】平成18年3月3日(2006.3.3)
【手続補正１】
【補正対象書類名】明細書
【補正対象項目名】０００５
【補正方法】変更
【補正の内容】
【０００５】
ビード傾斜角度θの適否を判定する具体的な手段として、図８イロに示されるように、最大適正傾斜角度を検査するための板ゲージＧ１（図８イ参照）、及び最小適正傾斜角度を検査するための板ゲージＧ２（図８ロ参照）を用いる。そして、まず図８イに示されるように、板ゲージＧ１を内側ビードシート部５ａと内端リムフランジ部４ａとが連成した湾曲部に当接させる。そして、板ゲージＧ１と内側ビードシート部５ａとの間に生じる隙間を目視する。また、同様に、図８ロに示されるように、板ゲージＧ２を当接させる。そして、板ゲージＧ２と内側ビードシート部５ａとの間に生じる隙間を目視する。そして、各場合の当接具合からビード傾斜角度θが適正な角度範囲内にあるか否かを判定する。このような板ゲージを用いた手段は、簡便であるため、製造現場で広く利用されている。
【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】  角速度検出用の圧電振動体と電子部品を備えたセンサユニットを支持する振動吸収部材と、前記センサユニットに接続された可撓性の配線部材と、前記センサユニットと前記振動吸収部材と前記配線部材を収納するとともに開口部を有するケースと、前記開口部を閉塞するとともに、前記配線部材と接続された外部接続端子を備えた蓋体と、を有する角速度センサにおいて、
前記配線部材は、前記センサユニットに接続するとともに、配線方向を前記振動吸収部材の非配線領域側へ導く第１接続部と、配線の一部が前記センサユニットの平面と対向するように、配線方向を前記振動吸収部材の非配線領域側から前記センサユニット側へ導く折り返し部と、前記外部接続端子に接続する第２接続部とを有することを特徴とする角速度センサ。
【請求項２】  前記配線部材は、前記折り返し部と前記第２接続部との間に、配線方向を曲げるための曲げ配線部を有することを特徴とする請求項１記載の角速度センサ。
【請求項３】  前記曲げ配線部は、略Ｌ字形状に形成されていることを特徴とする請求項２記載の角速度センサ。
【請求項４】  前記曲げ配線部は、前記配線部材を折り返して略Ｌ字形状に形成していることを特徴とする請求項２記載の角速度センサ。
【請求項５】  前記配線部材は、配線方向を前記センサユニットと前記蓋体の間へ導く折り曲げ部を有し、前記第２接続部は前記蓋体と前記振動吸収部材との間で前記外部接続端子に接続することを特徴とする請求項１記載の角速度センサ。
【請求項６】  前記配線部材がＦＰＣであることを特徴とする請求項１から５のいずれか１つに記載の角速度センサ。
【請求項７】  前記振動吸収部材は、前記センサユニットの両端を支持する一対の弾性部材であることを特徴とする請求項１から５のいずれか１つに記載の角速度センサ。
【請求項８】  前記センサユニットは６面を備えた略矩形形状に形成されており、
前記振動吸収部材は、前記６面を支持することを特徴とする請求項７に記載の角速度センサ。
【請求項９】  前記蓋体側に配設した振動吸収部材は、前記配線部材の配線経路に沿って凹部を有することを特徴とする請求項１から８のいずれか１つに記載の角速度センサ。
【手続補正２】
【補正対象書類名】明細書
【補正対象項目名】００１４
【補正方法】変更
【補正の内容】
【００１４】
また、振動吸収部材は、センサユニットの両端を支持する一対の弾性部材であることを特徴とするものである。また、センサユニットは６面を備えた略矩形形状に形成されており、振動吸収部材はセンサユニットの６面を支持することを特徴とするものである。
【手続補正３】
【補正対象書類名】明細書
【補正対象項目名】００２６
【補正方法】変更
【補正の内容】
【００２６】
また、外部接続端子１１が配設されている蓋体１０側の振動吸収部材７に設けられた凹部７ｂ内には、配線部材８が収納される（図２参照）。
【手続補正書】
【提出日】平成17年11月14日(2005.11.14)
【手続補正１】
【補正対象書類名】明細書
【補正対象項目名】発明の名称
【補正方法】変更
【補正の内容】
【発明の名称】光学式エンコーダおよび光学式エンコーダ付モータ
【手続補正２】
【補正対象書類名】明細書
【補正対象項目名】特許請求の範囲
【補正方法】変更
【補正の内容】
【特許請求の範囲】
【請求項１】回転ディスクにコードパターンを設け、固定スリットを介し、前記コードパターンを透過または、反射した発光素子からの光を受光素子で受光することにより、前記回転ディスクの速度、回転位置を検出する光学式エンコーダにおいて、
前記回転ディスクに設けられたスリットの形状が、透明部と不透明部の境界を決める４辺のうち、径方向の２辺は前記回転ディスクの回転中心を基準にした２つの円弧から形成されているのに対し、周方向の２辺は前記回転ディスクの回転中心を通る直線と、９０度以下の角をなす直線から形成されることを特徴とする光学式エンコーダ。
【請求項２】前記回転ディスクに設けられたスリット群を一つのトラックとして、少なくとも二つ以上のトラックを回転ディスク上に構成することを特徴とする請求項１に記載の光学式エンコーダ。
【請求項３】回転ディスクにコードパターンを設け、前記コードパターンを透過または、反射した発光素子からの光を受光素子で受光することにより、前記回転ディスクの速度、回転位置を検出する光学式エンコーダにおいて、
前記回転ディスクに設けられたスリットの形状が、透明部と不透明部の境界を決める４辺のうち、径方向の２辺は前記回転ディスクの回転中心を基準にした２つの円弧から形成されているのに対し、周方向の２辺は前記回転ディスクの回転中心を通る直線と、９０度以下の角をなす直線から形成されることを特徴とする光学式エンコーダ。
【請求項４】前記回転ディスクに設けられたスリット群を一つのトラックとして、少なくとも二つ以上のトラックを回転ディスク上に構成することを特徴とする請求項３に記載の光学式エンコーダ。
【請求項５】請求項１もしくは２、または請求項３もしくは４に記載の光学式エンコーダと、それによって回転位置を検出されるサーボモータを備えたことを特徴とする光学式エンコーダ付モータ。
【手続補正３】
【補正対象書類名】明細書
【補正対象項目名】０００１
【補正方法】変更
【補正の内容】
【０００１】
【発明の属する技術分野】
本発明は、工作機械あるいはロボット等に組み込まれるサーボモータに取付られた光学式エンコーダおよび光学式エンコーダ付モータに関するものである。
【手続補正４】
【補正対象書類名】明細書
【補正対象項目名】０００４
【補正方法】変更
【補正の内容】
【０００４】
【発明が解決しようとする課題】
ところが、従来技術においては、分解能を高めるためにスリットの間隔（ピッチ）を狭くすると、光の回折現象によって検出される正弦波状の信号に含まれる高次の周波数成分が大きくなり、波形に歪みを生じる。このため、このアナログ信号を抵抗ブリッジを使った逓倍回路によって逓倍しようとした時に、その出力パルスの分割精度は低下する。また前記アナログ信号をＡ／Ｄで取込みデジタル領域で逓倍する場合でもその出力データの分割精度は低下する。
そこで、本発明は、受光素子のアナログ信号を正弦波に近づけることによって、逓倍後の分割精度を向上させる光学式エンコーダおよび光学式エンコーダ付モータを提供することを目的とするものである。
【手続補正５】
【補正対象書類名】明細書
【補正対象項目名】０００５
【補正方法】変更
【補正の内容】
【０００５】
【課題を解決するための手段】
上記問題を解決するため、請求項１〜４に記載の本発明の光学式エンコーダは、回転ディスクに設けられたスリットの形状が、境界を決める４辺のうち、径方向の２辺は前記回転ディスクの回転中心を基準にした２つの円弧から形成されているのに対し、周方向の２辺は前記回転ディスクの回転中心を通る直線と、９０度以下の負をなす直線から形成される簡単な形のスリット、受光部を用いることにより信号の高次波成分を含まない良好な波形を取出すものである。
また、請求項５に記載の本発明は、光学式エンコーダ付モータに係わるものであって、請求項１もしくは２、または請求項３もしくは４に記載の光学式エンコーダと、それによって回転位置を検出されるサーボモータを備えたものである。
【手続補正書】
【提出日】平成18年3月3日(2006.3.3)
【手続補正１】
【補正対象書類名】明細書
【補正対象項目名】特許請求の範囲
【補正方法】変更
【補正の内容】
【特許請求の範囲】
【請求項１】  信号の周波数帯域に対して充分に高いサンプリング周波数で該信号をサンプリングしてＡＤ変換するＡＤ変換器と、
前記ＡＤ変換器から出力されるデータを順次振り分けていくことにより、一定周期のデータの列からなるグループを複数個作成するグループ化手段と、
前記グループ化手段によってグループ化されたグループごとに、該グループ内のデータに対してフーリエ変換を実施するフーリエ変換手段と、
を具備するレーダ装置。
【請求項２】  前記フーリエ変換手段によってグループごとに得られるフーリエ変換結果に基づいて平均化処理を行う平均化処理手段を更に具備する、請求項１に記載のレーダ装置。
【請求項３】  信号をサンプリングしてＡＤ変換するＡＤ変換器と、
前記ＡＤ変換器から連続して出力される一定個数ごとのデータに対して平均化処理を実施していくことにより、時間平均されたデータ列を作成する平均化処理手段と、
前記平均化処理手段によって作成されたデータ列に対してフーリエ変換を実施するフーリエ変換手段と、
を具備するレーダ装置。
【請求項４】  前記ＡＤ変換器は、前記ビート信号のナイキスト間隔以下の一定間隔ごとに近接して複数回サンプリングを実行し、前記平均化処理手段は、該複数回のサンプリングに対応する前記ＡＤ変換器の出力データに対して平均化処理を実行する、請求項３に記載のレーダ装置。
【手続補正書】
【提出日】平成18年2月22日(2006.2.22)
【手続補正１】
【補正対象書類名】明細書
【補正対象項目名】請求項３
【補正方法】変更
【補正の内容】
【請求項３】
前記クリンアップカラムの充填剤に吸着されているダイオキシン類を溶出させる際、該クリンアップカラムの外部又は内部から熱を加えてなる請求項１又は２記載のポリ塩化ジベンゾ−ｐ−ダイオキシン又は／及びポリ塩化ジベンゾフランの微量分析法。
【手続補正２】
【補正対象書類名】明細書
【補正対象項目名】００２９
【補正方法】変更
【補正の内容】
【００２９】
さらに、クリンアップカラムの充填剤に吸着されているダイオキシン類を溶出させる際、該クリンアップカラムの外部又は内部から熱を加えると、速やかにダイオキシン類を溶離させることが可能となる。
【手続補正書】
【提出日】平成18年2月27日(2006.2.27)
【手続補正１】
【補正対象書類名】明細書
【補正対象項目名】特許請求の範囲
【補正方法】変更
【補正の内容】
【特許請求の範囲】
【請求項１】  光学格子部と、移動可能なスケールと、前記光学格子のピッチに対応して配設した複数の受光素子と、前記スケールを介して前記受光素子に光束を照射する第１、第２の光源とを有し、前記第１、第２の光源と複数の受光素子は、前記第１、第２の光源の発光状態を変化させた時に前記複数の受光素子から得られる第１、第２の信号の位相差が９０°未満となるように配置され、前記第１、第２の受光信号を用いて前記スケールと前記受光素子との相対移動量を演算する演算処理回路を有することを特徴とする光学式エンコーダ。
【請求項２】  前記第１の光源を発光させたときに前記受光素子から得た受光信号に基いて前記位置情報を得ることを特徴とする請求項１に記載の光学式エンコーダ。
【請求項３】  前記第２の光源を発光させ、前記第１の光源を点灯しているときに前記受光素子から得た第１の受光信号と、前記第２の光源を点灯しているときに前記受光素子から得た第２の受光信号とに基いて前記相対移動量を得ることを特徴とする請求項２に記載の光学式エンコーダ。
【請求項４】  第３の光源を有し、前記スケールが移動を停止したときに、前記第１、第２、第３の光源の発光位置を順に変更して、前記各光源の点灯時に前記受光素子から得た第１、第２、第３の受光信号に基いて前記位置情報を得ることを特徴とする請求項１に記載の光学式エンコーダ。
【請求項５】  前記スケールが移動を停止したとき、第１又は第２の光源の発光強度を変化させ、前記強度変化により変化する受光信号に基いて前記相対移動量を得ることを特徴とする請求項１に記載の光学式エンコーダ。
【手続補正２】
【補正対象書類名】明細書
【補正対象項目名】００１１
【補正方法】変更
【補正の内容】
【００１１】
【課題を解決するための手段】
上記目的を達成するための本発明に係る光学式エンコーダは、光学格子部と、移動可能なスケールと、前記光学格子のピッチに対応して配設した複数の受光素子と、前記スケールを介して前記受光素子に光束を照射する第１、第２の光源とを有し、前記第１、第２の光源と複数の受光素子は、前記第１、第２の光源の発光状態を変化させた時に前記複数の受光素子から得られる第１、第２の信号の位相差が９０°未満となるように配置され、前記第１、第２の受光信号を用いて前記スケールと前記受光素子との相対移動量を演算する演算処理回路を有することを特徴とする。
【手続補正３】
【補正対象書類名】明細書
【補正対象項目名】００３７
【補正方法】削除
【補正の内容】
【手続補正４】
【補正対象書類名】明細書
【補正対象項目名】００３８
【補正方法】削除
【補正の内容】
【手続補正５】
【補正対象書類名】明細書
【補正対象項目名】００３９
【補正方法】削除
【補正の内容】
【手続補正６】
【補正対象書類名】明細書
【補正対象項目名】００４０
【補正方法】削除
【補正の内容】
【手続補正７】
【補正対象書類名】明細書
【補正対象項目名】００４１
【補正方法】削除
【補正の内容】